(57)【要約】【課題】ナースコール親機の利用者が、ナースコールの発信場所とナースコールの発信元に対応する患者情報とをレイアウト表示画面から容易に把握することができるようにする。【解決手段】呼出受付部２２がナースコールを受け付けると、当該ナースコールの発信場所を含む一部の領域を表示対象領域として決定する表示対象領域決定部２５と、表示対象領域のレイアウト表示画面を生成する画面生成部２６と、当該レイアウト表示画面をディスプレイ１ｂに表示させる表示制御部２７とを備え、表示対象施設の全体レイアウトのうち、ナースコールの発信場所を含む一部の表示対象領域についてのみ、当該表示対象領域に含まれる表示対象設備および患者情報を、表示対象施設のレイアウトに従って表示することにより、ナースコールの発信場所およびナースコールの発信元に対応する患者情報を、比較的大きい表示サイズで表示することができるようにする。【選択図】図２
2015171468.tif 000002
【特許請求の範囲】
【請求項１】
表示対象施設内のナースコール子機から発信されたナースコールを受け付ける呼出受付部と、
前記呼出受付部が前記ナースコールを受け付けると、当該ナースコールの発信場所を含む、前記表示対象施設の全体レイアウトの一部の領域を、表示対象領域として決定する表示対象領域決定部と、
前記表示対象領域のレイアウトを表すレイアウト表示画面であって、当該表示対象領域に含まれる各表示対象設備の表示位置に、対応する患者情報が示されたレイアウト表示画面を生成する画面生成部と、
前記画面生成部によって生成された前記レイアウト表示画面をディスプレイに表示させる表示制御部と、
を備えることを特徴とするナースコール親機。
【請求項２】
前記表示対象領域決定部は、前記ナースコールの発信場所が前記レイアウト表示画面の予め定められた位置に表示されるように、前記表示対象領域を決定する
ことを特徴とする請求項１に記載のナースコール親機。
【請求項３】
前記表示対象領域決定部は、前記ナースコールの発信場所が前記レイアウト表示画面の中心に表示されるように、前記表示対象領域を決定する
ことを特徴とする請求項２に記載のナースコール親機。
【請求項４】
前記表示対象領域決定部は、前記ナースコールの発信場所が前記レイアウト表示画面の予め定められた位置に表示されるように前記表示対象領域を決定した場合に、前記表示対象領域に前記表示対象施設の全体レイアウトの範囲外の領域が含まれてしまう場合、前記表示対象領域に前記範囲外の領域が含まれなくなるように、前記表示対象領域とする前記一部の領域の範囲を調整する
ことを特徴とする請求項２または３に記載のナースコール親機。
【請求項５】
前記表示制御部は、前記呼出受付部が前記ナースコールを受け付けると、前記ナースコールの発信元に対応する患者情報が示されたポップアップ画面を、前記ナースコールの発信場所の表示位置と重ならないように、前記レイアウト表示画面上の予め定められた位置に重ねて前記ディスプレイに表示させる
ことを特徴とする請求項２から４のいずれか一項に記載のナースコール親機。
【請求項６】
前記表示制御部は、前記呼出受付部による前記ナースコールの待機中、前記表示対象施設の全体レイアウトにおける、予め定められた一部の領域またはユーザによって指定された一部の領域を前記表示対象領域として、前記レイアウト表示画面を前記ディスプレイに表示させる
ことを特徴とする請求項１から５のいずれか一項に記載のナースコール親機。
【請求項７】
表示対象施設内のナースコール子機から発信されたナースコールを受け付ける呼出受付部と、
前記呼出受付部が前記ナースコールを受け付けると、当該ナースコールの発信場所を含む、前記表示対象施設の全体レイアウトの一部の領域を、表示対象領域として決定する表示対象領域決定部と、
前記表示対象領域のレイアウトを表すレイアウト表示画面であって、当該表示対象領域に含まれる各表示対象設備の表示位置に、対応する患者情報が示されたレイアウト表示画面を生成する画面生成部と、
前記画面生成部によって生成された前記レイアウト表示画面をディスプレイに表示させる表示制御部と、
を備えることを特徴とするナースコールシステム。
【発明の詳細な説明】
【技術分野】
【０００１】
本発明は、ナースコール子機による呼び出しの発生を、ディスプレイに表示されたレイアウト表示画面にて報知することが可能なナースコール親機およびナースコールシステムに関する。
【背景技術】
【０００２】
一般に、病院や介護施設などでは、患者や被介護者（以下、単に「患者」と言う）と医師や看護師、介護師（以下、単に「看護師」と言う）との連絡に、ナースコールシステムが用いられている。この種のナースコールシステムにおいて、患者がナースコール子機の呼出ボタンを押下して呼び出しを行うと、呼び出しが行われたことがナースコール親機にて報知される。
【０００３】
例えば、ナースコール親機では、ナースコール子機からの呼び出しがないときには所定の待機画面が表示されていて、ナースコール子機からの呼び出しが行われると、呼び出しを行った患者の情報（氏名、部屋番号、ベッド番号など）がポップアップ画面として表示される。このようなナースコール子機からの呼び出しに応じて、看護師がナースコール親機のハンドセット等によって応答すると、患者と看護師との間で通話が可能な状態となる。
【０００４】
待機画面の一例として、例えば、ボード型のベッド画面（以下、「ボード型表示画面」と言う）およびレイアウト型のベッド画面（以下、「レイアウト表示画面」と言う）が挙げられる。ボード型表示画面は、各患者に関する情報（患者の氏名、年齢、症状など）を、当該各患者が入室している病室毎にグルーピングしてボード状に一覧表示したものである。また、レイアウト表示画面は、病院内における各病室およびナースセンタの配置位置を模式的に表したレイアウト上において、各患者に関する情報を当該各患者が入室している病室の概略位置に配置して表示したものである。
【０００５】
ナースコール親機の表示に関する文献として、例えば、下記特許文献１〜４が挙げられる。下記特許文献１には、ナースコール親機の制御により、互いに異なる複数の情報を複数のディスプレイに表示するナースコールシステムが開示されている。例えば、このナースコールシステムでは、ボード型表示画面とレイアウト表示画面とを複数のディスプレイによって同時に表示することができる。このナースコールシステムによれば、画面の切り替え操作を行うことなく、互いに異なる複数の情報を確認することができる。なお、このナースコールシステムでは、レイアウト表示画面にはポップアップ画面を表示させないように制御することもできる。
【０００６】
また、下記特許文献２，３には、ナースコール子機からの呼び出しを受けて関連する患者情報をナースコール親機のモニタにポップアップ表示させる場合に、同時に表示している病棟レイアウト内の呼出操作した患者の位置が隠れないようにポップアップ表示させる技術が開示されている。
【０００７】
また、下記特許文献４には、ディスプレイに表示された患者選択ボタンがタッチ操作された場合、タッチ位置に関連する表示位置に、タッチされた患者選択ボタンに対応する患者情報をポップアップ表示させる技術が開示されている。特に、下記特許文献４には、新たに表示する患者情報が既に表示されている患者情報や呼出情報の表示位置に重なると判断した場合は、新たに表示する患者情報の表示位置を変更する技術が開示されている。
【先行技術文献】
【特許文献】
【０００８】
【特許文献１】特開２０１３−１５０１３３号公報
【特許文献２】特開２０１０−５１５４４号公報
【特許文献３】特開２０１０−５１５４５号公報
【特許文献４】特開２０１１−１１４８０４号公報
【発明の概要】
【発明が解決しようとする課題】
【０００９】
従来のナースコール親機では、病棟の全体のレイアウト（以下、「全体レイアウト」と言う）を、レイアウト表示画面にて表示することが可能である（例えば、特許文献１〜３参照）。また、ナースコールを受けると、当該ナースコールの発信元に対応する患者情報を、病棟の全体レイアウトが示されたレイアウト表示画面にて点滅または強調表示することが可能である。これにより、看護師は、ナースコール親機がナースコールを受けた際に、当該ナースコールの発信場所を、レイアウト表示画面から直感的に把握することができる。
【００１０】
しかしながら、このような広範囲のレイアウトを表示するレイアウト表示画面では、レイアウト全体を画面内に収めるために、各情報の表示サイズを縮小しなければならない。したがって、看護師は、このようなレイアウト表示画面からでは、ナースコールの発信元に対応する患者情報を容易に把握することができないという問題があった。
【００１１】
本発明は、このような問題を解決するために成されたものであり、ナースコール親機の利用者が、ナースコールの発信場所とナースコールの発信元に対応する患者情報とをレイアウト表示画面から容易に把握することができるようにすることを目的とする。
【課題を解決するための手段】
【００１２】
上記した課題を解決するために、本発明では、表示対象施設内のナースコール子機からナースコールを受け付けると、当該ナースコールの発信場所を含む、表示対象施設の全体レイアウトにおける一部の領域を、表示対象領域として決定する。そして、表示対象領域のレイアウトを表すレイアウト表示画面であって、当該表示対象領域に含まれる各表示対象設備の表示位置に、対応する患者情報が示されたレイアウト表示画面を生成し、当該レイアウト表示画面をディスプレイに表示させるようにしている。
【発明の効果】
【００１３】
上記のように構成した本発明によれば、ナースコール子機からナースコールを受け付けると、表示対象施設の全体レイアウトのうち、ナースコールの発信場所を含む一部の表示対象領域についてのみ、当該表示対象領域に含まれる表示対象設備および患者情報が、表示対象施設のレイアウトに従って表示されることとなる。このため、レイアウト表示画面には、ナースコールの発信場所およびナースコールの発信元に対応する患者情報を、比較的大きい表示サイズで表示することができる。したがって、看護師は、ディスプレイに表示されたレイアウト表示画面から、ナースコールの発信場所とナースコールの発信元に対応する患者情報とを容易に把握することができる。
【図面の簡単な説明】
【００１４】
【図１】本発明の一実施形態に係るナースコールシステムの全体構成例を示す図である。
【図２】本発明の一実施形態に係るナースコール親機の機能構成例を示すブロック図である。
【図３】本発明の一実施形態に係るナースコール親機によるレイアウト表示処理の手順を示すフローチャートである。
【図４】本発明の一実施形態に係る病棟の全体レイアウトおよび表示対象領域の一例を示す図である。
【図５】本発明の一実施形態に係るレイアウト表示画面の表示例を示す図である。
【図６】本発明の一実施形態に係る病棟の全体レイアウトおよび表示対象領域の他の一例を示す図である。
【図７】本発明の一実施形態に係るレイアウト表示画面の表示例（変形例）を示す図である。
【発明を実施するための形態】
【００１５】
以下、本発明の一実施形態を図面に基づいて説明する。
【００１６】
〔ナースコールシステムの全体構成〕
図１は、本実施形態に係るナースコールシステムの全体構成例を示す図である。なお、ここでは病院に設置される看護支援用のナースコールシステムを例にとって説明するが、本実施形態のナースコールシステムは、病院に設置されるものに限定されない。例えば、介護施設等に設置される場合にも適用可能である。
【００１７】
図１に示すように、本実施形態に係るナースコールシステムは、ナースコール親機１、制御機２、廊下灯３、壁埋込形子機４およびハンド形子機５を備えて構成されている。
【００１８】
ナースコール親機１は、患者（ナースコール子機）からの呼び出しに対する応答の操作または患者の呼び出しの操作を行うためのものであり、例えばナースセンタに設置される。ナースコール親機１は、この応答や呼び出しを行うためのハンドセット１ａを備えている。
【００１９】
また、ナースコール親機１は、ディスプレイ１ｂを備えている。ディスプレイ１ｂは、ナースコール親機１に一体として備えられている。ナースコール親機１は、ディスプレイ１ｂの代わりに、または、ディスプレイ１ｂに加えて、当該ナースコール親機１に対して有線または無線にて接続される他のディスプレイを用いることもできる。
【００２０】
制御機２は、ナースコール親機１と廊下灯３との間に配置され、通話やデータの送受信に関する制御を行う。廊下灯３は、病室内の患者名が表示されるとともに、病室内の患者が看護師の呼び出しを行うと、呼び出しが行われたことが表示されるようになっている。
【００２１】
壁埋込形子機４は、病室の各ベッドサイドの壁に埋め込み設置される。この壁埋込形子機４は、廊下灯３に接続されている。ハンド形子機５は、壁埋込形子機４に接続される。壁埋込形子機４およびハンド形子機５は、特許請求の範囲におけるナースコール子機に相当する。以下では、壁埋込形子機４およびハンド形子機５をまとめてナースコール子機４，５と記す。
【００２２】
壁埋込形子機４は、患者が看護師を呼び出すための呼出ボタン、患者が看護師と会話を行う際に使用するマイクおよびスピーカ、ハンド形子機５を接続するための接続端子を備えている。ハンド形子機５は、患者が看護師を呼び出すための呼出ボタン、患者が看護師と会話を行う際に使用するマイクおよびスピーカを備えている。
【００２３】
以上のように構成されたナースコールシステムは、患者が使用するナースコール子機４，５からの呼び出しに対し、ナースセンタに設置されたナースコール親機１で応答可能に成されている。
【００２４】
〔ナースコール親機の機能構成〕
図２は、本実施形態に係るナースコール親機１の機能構成例を示すブロック図である。図２に示すように、本実施形態に係るナースコール親機１は、患者情報記憶部１１、レイアウト情報記憶部１２、通信インタフェース部２１、呼出受付部２２、操作受付部２３、応答受付部２４、表示対象領域決定部２５、画面生成部２６および表示制御部２７を備えている。
【００２５】
なお、上記各機能ブロック２１〜２７は、ハードウェア構成、ＤＳＰ、ソフトウェアの何れによっても実現することが可能である。例えばソフトウェアによって実現する場合、上記各機能ブロック２１〜２７は、実際にはコンピュータのＣＰＵあるいはＭＰＵ、ＲＡＭ、ＲＯＭなどを備えて構成され、ＲＡＭやＲＯＭに記憶されたプログラムが動作することによって実現できる。
【００２６】
したがって、コンピュータが上記本実施形態の機能を果たすように動作させるプログラムを例えばＣＤ−ＲＯＭのような記録媒体に記録し、コンピュータに読み込ませることによって実現できるものである。上記プログラムを記録する記録媒体としては、ＣＤ−ＲＯＭ以外に、フレキシブルディスク、ハードディスク、磁気テープ、光ディスク、光磁気ディスク、ＤＶＤ、不揮発性メモリカード等を用いることができる。また、上記プログラムをインターネット等のネットワークを介してコンピュータにダウンロードすることによっても実現できる。
【００２７】
患者情報記憶部１１は、患者に関する情報（以下、患者情報という）を記憶する。本実施形態において患者情報は、患者の氏名、年齢、性別、症状、病室の部屋番号、患者が使用しているベッドを識別するベッド番号、患者を識別するための患者ＩＤ、使用するナースコール子機を識別するための子機ＩＤなどの各種情報を含む。
【００２８】
レイアウト情報記憶部１２は、病棟内における各表示対象設備の配置位置を模式的に表したレイアウト情報を記憶する。表示対象設備とは、病棟内に設置されている設備のうち、レイアウト表示画面への表示対象となる設備のことである。表示対象設備としては、例えば、病室、ベッド、ナースセンタ、浴室、トイレ等が挙げられる。レイアウト情報記憶部１２に記憶されているレイアウト情報においては、各表示対象設備に対し、病棟の全体レイアウトにおける位置を特定するための位置情報が設定されている。また、レイアウト情報記憶部１２に記憶されているレイアウト情報においては、各ベッドに対し、当該ベッドを識別するためのベッド番号と、当該ベッドが配置されている病室の部屋番号とが設定されている。なお、本実施形態のレイアウト情報は、病棟内における各表示対象設備の相対位置関係を概略的に表したものであり、建築図面のような厳密な配置位置のレイアウトであることまでは必要でない。
【００２９】
呼出受付部２２は、ナースコール子機４，５からの呼び出しを受け付ける。具体的には、呼出受付部２２は、ナースコール子機４，５から廊下灯３および制御機２を介して送信されてくる呼出信号を、通信インタフェース部２１を介して受信する。通信インタフェース部２１は、制御機２との間で通信を行うものである。呼出受付部２２は、呼出信号を受信すると、呼出音を鳴らすなどの所定の報知処理を行う。また、呼出受付部２２は、受信した呼出信号によって伝えられる子機情報（呼び出しを行ったナースコール子機４，５を特定するための子機ＩＤなど）に基づいて、患者情報記憶部１１を参照することにより、呼び出しを行った患者（ナースコールの発信元）を特定する。例えば、呼出受付部２２は、ナースコールの発信元の部屋番号およびベッド番号を特定する。そして、呼出受付部２２は、当該部屋番号およびベッド番号を表示対象領域決定部２５に通知する。
【００３０】
操作受付部２３は、看護師によるハンドセット１ａを用いた応答操作を受け付ける。応答受付部２４は、患者からのナースコール（呼び出し）に対する看護師の応答を受け付ける。例えば、看護師がナースコール子機４，５からの呼び出しに応じてハンドセット１ａをオフフックすると、その操作入力を操作受付部２３が受け付ける。応答受付部２４は、ハンドセット１ａがオフフックされたことを示す信号を操作受付部２３から受けて、呼出受付部２２による報知処理を停止させるとともに、ナースコール親機１とナースコール子機４，５との間に通話状態を確立させる。
【００３１】
表示対象領域決定部２５は、呼出受付部２２がナースコール子機４，５から発信されたナースコールを受け付けると、当該ナースコールの発信場所を含む、病棟の全体レイアウトの一部の領域を、表示対象領域として決定する。
【００３２】
具体的には、表示対象領域決定部２５は、呼出受付部２２から通知されたナースコールの発信元に関する情報（例えば、部屋番号およびベッド番号）と、レイアウト情報記憶部１２に記憶されているレイアウト情報とに基づいて、病棟の全体レイアウトの中から、ナースコールの発信場所である表示対象設備の位置を特定する。
【００３３】
そして、表示対象領域決定部２５は、病棟の全体レイアウトの中から、ナースコールの発信場所である表示対象設備の位置を中心とする一部の領域を、表示対象領域として決定する。例えば、表示対象領域のサイズは、予め定められている。表示対象領域決定部２５は、このサイズに基づいて、表示対象領域の範囲を決定する。また、表示対象領域決定部２５は、決定した表示対象領域内に含まれる病室の部屋番号およびベッド番号を特定する。そして、表示対象領域決定部２５は、決定した表示対象領域の範囲と、当該表示対象領域に含まれる病室の部屋番号およびベッド番号とを、画面生成部２６に通知する。
【００３４】
画面生成部２６は、患者情報記憶部１１に記憶されている患者情報と、レイアウト情報記憶部１２に記憶されているレイアウト情報と、表示対象領域決定部２５から通知された情報とに基づいて、表示対象領域のレイアウト表示画面を生成する。表示対象領域のレイアウト表示画面には、病棟に設置されている表示対象設備のうち、表示対象領域決定部２５によって決定された表示対象領域に存在する表示対象設備が、病棟の全体レイアウトに従って表示される。また、レイアウト表示画面において、各表示対象設備の表示位置には、対応する患者情報が表示される。当該患者情報は、表示対象領域決定部２５から通知された部屋番号およびベッド番号を検索キーとして、患者情報記憶部１１から読み出すことができる。
【００３５】
表示制御部２７は、画面生成部２６によって生成されたレイアウト表示画面をディスプレイ１ｂに表示させるように制御する。また、表示制御部２７は、ナースコールに対する応答がなされた後、次のナースコールの待機中、病棟の全体レイアウトにおける予め定められた一部の領域を表示対象領域とする他のレイアウト表示画面をディスプレイ１ｂに表示させる。
【００３６】
〔レイアウト表示処理の手順〕
図３は、本実施形態に係るナースコール親機１によるレイアウト表示処理の手順を示すフローチャートである。例えば、呼出受付部２２は、ナースコール子機４，５からナースコールの呼出信号が送信されてくるのを待機している。そして、呼出受付部２２がナースコール子機４，５から送信された呼出信号を受信すると、ナースコール親機１は、図３に例示するレイアウト表示処理を実行する。
【００３７】
図３に例示するレイアウト表示処理では、まず、呼出受付部２２が、病棟内のナースコール子機４，５から発信されたナースコールを受け付ける（ステップＳ３０２）。次に、表示対象領域決定部２５が、ステップＳ３０２で受け付けたナースコールの発信場所を含む、病棟の全体レイアウトの一部の領域を表示対象領域として決定する（ステップＳ３０４）。
【００３８】
次に、画面生成部２６が、ステップＳ３０４で決定された表示対象領域のレイアウト表示画面を生成する（ステップＳ３０６）。そして、表示制御部２７が、ステップＳ３０６で生成されたレイアウト表示画面をディスプレイ１ｂに表示させる（ステップＳ３０８）
【００３９】
以降、表示制御部２７は、ステップＳ３０２で受け付けたナースコールに対する応答がなされるまで、ステップＳ３０８にてディスプレイ１ｂに表示されたレイアウト表示画面を、引き続きディスプレイ１ｂに表示させる。そして、ステップＳ３０２で受け付けたナースコールに対する応答がなされると（ステップＳ３１０：Ｙｅｓ）、表示制御部２７は、ステップＳ３０８にてディスプレイ１ｂに表示されたレイアウト表示画面の表示を終了させる（ステップＳ３１２）。
【００４０】
そして、呼出受付部２２は、次のナースコールを受け付けるまで、ナースコール子機４，５からナースコールの呼出信号が送信されてくるのを待機する。次のナースコールの待機中、表示制御部２７は、病棟の全体レイアウトにおける予め定められた一部の領域を表示対象領域とする他のレイアウト表示画面をディスプレイ１ｂに表示させる（ステップＳ３１４）。これにより、ナースコールの待機中も、各表示対象設備および患者情報を比較的大きい表示サイズでディスプレイ１ｂに表示させることができる。そして、呼出受付部２２が次のナースコールを受け付けると（ステップＳ３１６：Ｙｅｓ）、ナースコール親機１は、ステップＳ３０４以降のレイアウト表示処理を再び実行する。
【００４１】
〔病棟の全体レイアウトおよび表示対象領域の一例〕
図４は、本実施形態に係る病棟の全体レイアウトおよび表示対象領域の一例を示す図である。図４に示す全体レイアウト４００は、本実施形態に係る病棟（特許請求の範囲の表示対象施設に相当）の全体レイアウトである。全体レイアウト４００では、病棟内の全ての表示対象設備（各病室、各ベッド、ナースセンタ、浴室、男性トイレおよび女性トイレ）の配置が模式的に表されている。このうち、各ベッドには、レイアウト情報記憶部１２に記憶されているレイアウト情報において、対応する患者を特定するための情報（部屋番号およびベッド番号）が対応付けられている。
【００４２】
例えば、図４に示すように、８０４号室の患者「氏名１６」のベッドの設置場所（図４において、強調表示された場所）から発信されたナースコールを呼出受付部２２が受け付けたとする。この場合、表示対象領域決定部２５は、ナースコールの発信場所（８０４号室の患者「氏名１６」のベッドの設置場所）を中心として、所定のサイズを有する一部の領域（図４において、点線にて枠囲みされた領域）を表示対象領域４０２として決定する。
【００４３】
〔レイアウト表示画面の表示例〕
図５は、本実施形態に係るレイアウト表示画面の表示例を示す図である。図５に示すレイアウト表示画面５００は、図４に示す表示対象領域４０２のレイアウト表示画面である。このレイアウト表示画面５００では、表示対象領域４０２内に含まれる複数の表示対象設備の配置位置が、模式的に示されている。また、各表示対象設備の表示位置には、対応する患者の患者情報が示されている。
【００４４】
特に、このレイアウト表示画面５００では、その中心に、ナースコールの発信場所の表示対象設備（８０４号室の患者「氏名１６」のベッド）および当該表示対象設備に対応する患者（患者「氏名１６」）の患者情報が、点滅表示または強調表示されている。
【００４５】
図５の例では、レイアウト表示画面５００には、患者情報の一例として、ベッド番号、性別、診療科目、担当医師、氏名、年齢、血液型が示されている。レイアウト表示画面５００に表示される患者情報は、これらに限らない。また、レイアウト表示画面５００において、一部の患者情報は、文字に限らずアイコン等の図形によって表示され得る。
【００４６】
また、レイアウト表示画面５００では、ナースコールの発信場所の周囲には、実際にナースコールの発信場所の周囲に存在する複数のベッドが示されている。これら複数のベッドについても、ナースコールの発信場所と同様に、対応する患者情報がその表示位置に示されている。これにより、看護師は、ナースコールの発信元の患者だけでなく、その周囲の患者についても、対応する患者情報をレイアウト表示画面５００から容易に把握することができる。
【００４７】
なお、上記例において、さらに病棟の全体レイアウト４００と表示対象領域４０２との位置関係を把握することができるように、病棟の全体レイアウト４００と表示対象領域４０２との位置関係を示す縮小レイアウト画面をレイアウト表示画面５００に重ねてディスプレイ１ｂに表示させてもよい。この場合、表示制御部２７は、縮小レイアウト画面を、ナースコールの発信場所の表示位置と重ならないように（すなわち、ナースコールの発信元に対応する患者情報が隠れてしまわないように）、レイアウト表示画面５００上の予め定められた位置に重ねて、ディスプレイ１ｂに表示させることが好ましい。
【００４８】
〔病棟の全体レイアウトおよび表示対象領域の他の一例〕
図６は、本実施形態に係る病棟の全体レイアウトおよび表示対象領域の他の一例を示す図である。図６に示す全体レイアウト４００は、図４に示す全体レイアウト４００と同一である。
【００４９】
例えば、図６に示すように、８０９号室の患者「氏名３６」のベッドの設置場所（図６において、強調表示された場所）から発信されたナースコールを呼出受付部２２が受け付けたとする。この場合、表示対象領域決定部２５は、ナースコールの発信場所（８０９号室の患者「氏名３６」のベッドの設置場所）を中心として、所定のサイズを有する一部の領域（図６において、点線にて枠囲みされた領域）を、表示対象領域４０２ａとして仮決定する。
【００５０】
ここで、図６に示す表示対象領域４０２ａには、病棟の全体レイアウト４００の範囲外の領域が含まれている。仮に、表示対象領域４０２ａのレイアウト表示画面を生成して、ディスプレイ１ｂに表示させた場合、範囲外の領域には何も表示されずにブラックアウトしてしまうこととなる。そこで、表示対象領域決定部２５は、表示対象領域に全体レイアウト４００の範囲外の領域が含まれなくなるように、全体レイアウト４００における表示対象領域４０２ａの位置を調整する。
【００５１】
例えば、図６に示す例では、表示対象領域４０２ａの図中下側に、全体レイアウト４００の範囲外の領域が含まれている。この場合、表示対象領域決定部２５は、全体レイアウト４００の範囲外の領域が含まれなくなるまで、表示対象領域４０２ａの位置を図中上方に移動する。これにより、全体レイアウト４００の範囲外の領域が含まれていない表示対象領域４０２ｂを定めることができる。したがって、ディスプレイ１ｂの表示面にブラックアウト領域が形成されてしまうことを回避することができる。
【００５２】
以上説明したように、本実施形態に係るナースコール親機１は、ナースコール子機４，５からナースコールを受け付けると、当該ナースコールの発信場所を含む一部の表示対象領域のみ、当該表示対象領域に含まれる表示対象設備および患者情報を、病棟のレイアウトに従って表示する。これにより、レイアウト表示画面において、ナースコールの発信場所およびナースコールの発信元に関する患者情報を、比較的大きい表示サイズで表示することができる。したがって、看護師は、ディスプレイ１ｂに表示されたレイアウト表示画面から、ナースコールの発信場所とナースコールの発信元に対応する患者情報とを容易に把握することができる。
【００５３】
また、本実施形態では、レイアウト表示画面において、ナースコールの発信場所およびナースコールの発信元に対応する患者情報は、当該レイアウト表示画面の中心（看護師にとって見易い位置）に表示される。したがって、ナースコール親機１がナースコールを受け付けると、看護師は、ディスプレイに表示されたレイアウト表示画面から、ナースコールの発信場所とナースコールの発信元に対応する患者情報とを瞬時に把握することができる。
【００５４】
また、本実施形態では、ナースコールの発信場所がレイアウト表示画面の中心となるように決定した表示対象領域に、表示対象施設の全体レイアウトの範囲外の領域が含まれてしまう場合、表示対象領域に範囲外の領域が含まれなくなるように、表示対象領域とする一部の領域の範囲を調整する。これにより、ディスプレイ１ｂの表示面に、ブラックアウト領域（何も表示されない領域）が生じないようにすることができる。
【００５５】
なお、上記実施形態では、レイアウト表示画面５００におけるナースコールの発信場所の表示位置を、レイアウト表示画面５００の中心とする例を説明したが、これに限らない。レイアウト表示画面５００におけるナースコールの発信場所の表示位置は、レイアウト表示画面５００の予め定められた表示位置であれば、レイアウト表示画面５００の中心以外の位置であってもよい。
【００５６】
また、上記実施形態において、レイアウト表示画面にポップアップ画面を重ねて表示するようにしてもよい。例えば、画面生成部２６は、患者情報記憶部１１に記憶されている患者情報を用いて、ナースコールの発信元に対応する患者情報が示されたポップアップ画面を生成する。そして、表示制御部２７は、画面生成部２６によって生成されたポップアップ画面をレイアウト表示画面に重ねてディスプレイ１ｂに表示させるように制御する。この場合、表示制御部２７は、ポップアップ画面を、ナースコールの発信場所の表示位置と重ならないように（すなわち、ナースコールの発信元に対応する患者情報が隠れてしまわないように）、レイアウト表示画面上の予め定められた位置に重ねて、ディスプレイ１ｂに表示させることが好ましい。
【００５７】
図７は、本実施形態に係るレイアウト表示画面の表示例（変形例）を示す図である。図７では、図５に示したレイアウト表示画面５００に重ねて、ポップアップ画面５０２を表示する例を示している。ポップアップ画面５０２では、患者情報の詳細情報の一例として、「緊急呼び出し」と記された呼出種別、部屋番号、ベッド番号、氏名、症状、性別および血液型が示されている。ポップアップ画面５０２に表示される患者情報は、これらに限らない。また、ポップアップ画面５０２において、一部の患者情報は、文字に限らずアイコン等の図形によって表示され得る。
【００５８】
図７に示す例では、ポップアップ画面５０２は、ナースコールの発信場所の表示位置（すなわち、レイアウト表示画面５００の中心）と重ならないように、レイアウト表示画面５００の右上（予め定められた位置）に表示されている。これにより、レイアウト表示画面５００におけるナースコールの発信場所およびナースコールの発信元に対応する患者情報が、ポップアップ画面５０２によって隠れてしまうことを回避することができる。また、看護師は、常に予め定められた位置（すなわち、見慣れた位置）でポップアップ画面を視認することができる。このため、ナースコール親機１がナースコールを受け付けると、看護師は、当該ナースコールの発生を、ポップアップ画面によって瞬時に把握することができる。
【００５９】
なお、ここでは、ポップアップ画面５０２の表示位置を、レイアウト表示画面５００の右上とする例を説明したが、これに限らない。ポップアップ画面５０２の表示位置は、ナースコールの発信場所の表示位置と重ならず、且つ、レイアウト表示画面５００の予め定められた表示位置であれば、レイアウト表示画面５００の右上以外の位置であってもよい。
【００６０】
また、上記実施形態において、表示対象領域のサイズは、ユーザの操作入力によって任意の値に設定できるようにしてもよい。例えば、表示対象領域のサイズをより大きくすることにより、より多くの表示対象設備が表示対象領域に含まれることとなる。したがって、表示対象領域のレイアウト表示画面において、各表示対象設備の表示サイズは、より小さくなる。この設定は、レイアウト表示画面に表示される領域をより広範囲にしたい場合に有効である。反対に、表示対象領域のサイズをより小さくすることにより、より少ない数の表示対象設備が表示対象領域に含まれることとなる。したがって、表示対象領域のレイアウト表示画面において、各表示対象設備の表示サイズは、より大きくなる。この設定は、レイアウト表示画面に表示される患者情報をより見易くしたい場合に有効である。
【００６１】
また、上記実施形態では、図２に示す機能の全てをナースコール親機１によって実現する構成を用いたが、これに限らない。例えば、図２に示す機能の一部をナースコール親機１と通信可能に接続された他の装置によって実現してもよい。要するに、ナースコールシステム全体として、図２に示す全ての機能が実現されればよい。例えば、制御機２が、患者情報記憶部１１、レイアウト情報記憶部１２、呼出受付部２２、表示対象領域決定部２５、画面生成部２６を備え、ナースコール親機１が、表示制御部２７およびディスプレイ１ｂを備える構成としてもよい。
【００６２】
また、上記実施形態では、次のナースコールの待機中、病棟の全体レイアウトにおける予め定められた一部の領域を表示対象領域とする他のレイアウト表示画面をディスプレイ１ｂに表示させることとしたが、これに限らない。例えば、次のナースコールの待機中、ナースコール親機１に対するユーザの操作入力によって指定された一部の領域を表示対象領域とする他のレイアウト表示画面をディスプレイ１ｂに表示させてもよい。または、直前にディスプレイ１ｂに表示されていたレイアウト表示画面を、ディスプレイ１ｂに表示させてもよい。
【００６３】
また、表示制御部２７は、次のナースコールの待機中、病棟の全体レイアウトを示すレイアウト表示画面をディスプレイ１ｂに表示させてもよい。また、表示制御部２７は、次のナースコールの待機中、病棟の各患者の患者情報をボード上に一覧表示するボード型表示画面をディスプレイ１ｂに表示させてもよい。ナースコールの待機中にいずれの表示画面をディスプレイ１ｂに表示させるかについては、ナースコール親機１に対するユーザの操作入力によって指定することが可能であってもよい。
【００６４】
また、上記実施形態において、受信済みのナースコールに対する応答がなされないうちに、呼出受付部２２が  １または複数のナースコールの呼出信号を受信した場合、例えば、以下（１）〜（４）のいずれかの処理を行うようにナースコール親機１を構成してもよい。
【００６５】
（１）最初に受信したナースコールを対象として、上記実施形態で説明したのと同様に、レイアウト表示画面（およびポップアップ画面）をディスプレイ１ｂに表示させる。２番目以降に受信したナースコールについては無視する。
【００６６】
（２）複数のナースコールのリストをディスプレイ１ｂに表示させる。リストには、例えば、ナースコール毎に、ナースコールの発信場所を識別するための簡易な情報（例えば、部屋番号およびベッド番号のみ）またはナースコールの発信元の患者を識別するための簡易な情報（例えば、患者名のみ）が示される。リストの中からいずれかのナースコールがユーザの操作入力によって選択されると、選択されたナースコールを対象として、上記実施形態で説明したのと同様に、レイアウト表示画面（およびポップアップ画面）をディスプレイ１ｂに表示させる。選択済みのナースコールは、リストから除去されてもよく、リストにおいて選択済みであることを識別可能に表示されてもよい。
【００６７】
（３）ナースコールの呼び出し順序に従って、ナースコールを順次選択する。ナースコールが選択される毎に、選択されたナースコールを対象として、上記実施形態で説明したのと同様に、レイアウト表示画面（およびポップアップ画面）をディスプレイ１ｂに表示させる。レイアウト表示画面（およびポップアップ画面）を表示してから、ナースコールに対応する応答がなされた場合、または所定の時間が経過した場合、次のナースコールを選択する。１または複数のナースコールが待機している間、待機中のナースコールのリストをディスプレイ１ｂに表示させてもよい。
【００６８】
（４）複数のナースコールの発信場所が表示対象領域内に収まる場合、複数のナースコールの発信場所を含む領域を表示対象領域として決定し、当該表示対象領域のレイアウト表示画面をディスプレイ１ｂに表示させる。例えば、最初に呼び出しがなされたナースコールの発信場所を中心とする表示対象領域内に、複数のナースコールの発信場所が収まる場合、当該表示対象領域のレイアウト表示画面をディスプレイ１ｂに表示させてもよい。または、複数のナースコールの発信場所の中間点を中心とする表示対象領域内に、複数のナースコールの発信場所が収まる場合、当該表示対象領域のレイアウト表示画面をディスプレイ１ｂに表示させてもよい。さらに、複数のナースコールに対応する複数のポップアップ画面をディスプレイ１ｂに表示させてもよい。
【００６９】
その他、上記実施形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００７０】
１  ナースコール親機
１ａ  ハンドセット
１ｂ  ディスプレイ
４    壁埋込形子機
５    ハンド形子機
１１  患者情報記憶部
１２  レイアウト情報記憶部
２２  呼出受付部
２５  表示対象領域決定部
２６  画面生成部
２７  表示制御部
４００  全体レイアウト
４０２  表示対象領域
５００  レイアウト表示画面
【図１】
2015171468.tif 000003
【図２】
2015171468.tif 000004
【図３】
2015171468.tif 000005
【図４】
2015171468.tif 000006
【図５】
2015171468.tif 000007
【図６】
2015171468.tif 000008
【図７】
2015171468.tif 000009